(57)【要約】【課題】  嵩のわりに容量の大きな籾貯蔵ホッパーの具現を可能にするとともに、このホッパーに籾コンベアを簡単に接続できるようにする。【解決手段】  底部が下絞りの錐形をした籾貯蔵ホッパーの下端に形成された取出筒に籾コンベアを接続する接続構造において、取出筒の下端に、シャッターの開閉によって籾貯蔵ホッパーの内部と連通又は遮断される籾コンベア保持筒を水平に取り付け、この籾コンベア保持筒に籾コンベアの導入部を挿入して固定したことを特徴とする籾貯蔵ホッパーにおける籾コンベア接続構造。【選択図】  【図２】
2006192367.tif 000002
【特許請求の範囲】
【請求項１】
底部が下絞りの錐形をした籾貯蔵ホッパーの下端に形成された取出筒に籾コンベアを接続する接続構造において、取出筒の下端に、シャッターの開閉によって籾貯蔵ホッパーの内部と連通又は遮断される籾コンベア保持筒を水平に取り付け、この籾コンベア保持筒に籾コンベアの導入部を挿入して固定したことを特徴とする籾貯蔵ホッパーにおける籾コンベア接続構造。
【請求項２】
籾コンベアの導入部が、前方部材と後方部材とを周方向に間隔をあけた渡材で連結したものであり、後方部材には、前拡がりのテーパ部が形成されており、このテーパ部に取付けリングを嵌着して籾コンベア保持筒の後端に設けたフランジに縫い付けて固定した請求項１の籾貯蔵ホッパーにおける籾コンベア接続構造。
【請求項３】
前方部材の先端に錐体をしたキャップが設けられており、籾コンベア保持筒の前方にこのキャップを調芯的に収受して前後する駒を設け、駒を後方に押しやって導入部をフランジと駒とで挟圧して固定した請求項２の籾貯蔵ホッパーにおける籾コンベア接続構造。
【発明の詳細な説明】
【技術分野】
【０００１】
本発明は、籾摺機まで移送する籾を貯蔵しておく籾貯蔵ホッパーにおける籾コンベア接続構造に関するものである。
【背景技術】
【０００２】
脱穀された籾は、乾燥機又は天日によって乾燥され、籾摺機で玄米に調製される。この間、乾燥された籾は、籾貯蔵ホッパー（以下、略して籾ホッパー）に貯蔵され、ある程度の量が溜まった時点で籾摺機にかけられる。籾を籾ホッパーから籾摺機まで移送するには、現在では、下記特許文献１に見られるフレキシブルな筒体の中にスクリューコンベアを組み込んだ籾コンベア（以下、略して籾コン）が使用されている。
【０００３】
この籾コンは、非常に便利なもので、乾燥した籾を貯留しておく貯留庫の中にその先端の導入部を差し込み、筒体を自由に曲げて後端の導出部を籾摺機の籾受入口に導いておけば、貯留庫の籾を自動的に籾摺機まで移送できる。この場合、小規模の農家等の籾ホッパーは、単に壁際を板等で囲った簡単な溜まり場程度のものが多いから、終了間際には非常に忙しい。すなわち、残り少なくなった籾を腰を屈めて導入部の方に押しやるのであるが、底が平坦であることから、それが思うように行かず、非常な重労働となる。
【０００４】
一方、大規模な農家では、専用の籾ホッパーを設備しているが、この籾ホッパーは、倉庫の二階等に設けており、その下端の排出口から重力で排出できるようにしている。しかし、この設備は、非常に大掛かりであり、場所と資金を必要とするし、籾を人力で運び上げるとすれば、大変な重労働である。
【特許文献１】特開平１０−１２９８２６号公報
【発明の開示】
【発明が解決しようとする課題】
【０００５】
本発明は、簡単な籾ホッパーを製作するとともに、その下端に各種の籾コンを簡単に取り付けられるようにしてコストと労力の低減を図ったものである。
【課題を解決するための手段】
【０００６】
以上の課題の下、本発明は、請求項１に記載した、底部が下絞りの錐形をした籾貯蔵ホッパーの下端に形成された取出筒に籾コンベアを接続する接続構造において、取出筒の下端に、シャッターの開閉によって籾貯蔵ホッパーの内部と連通又は遮断される籾コンベア保持筒を水平に取り付け、この籾コンベア保持筒に籾コンベアの導入部を挿入して固定したことを特徴とする籾貯蔵ホッパーにおける籾コンベア接続構造を提供する。
【０００７】
これにおいて、本発明は、請求項２に記載した、籾コンベアの導入部が、前方部材と後方部材とを周方向に間隔をあけた渡材で連結したものであり、後方部材には、前拡がりのテーパ部が形成されており、このテーパ部に取付けリングを嵌着して籾コンベア保持筒の後端に設けたフランジに縫い付けて固定した手段、及び請求項３に記載した、前方部材の先端に錐体をしたキャップが設けられており、籾コンベア保持筒の前方にこのキャップを調芯的に収受して前後する駒を設け、駒を後方に押しやって導入部をフランジと駒とで挟圧して固定した手段を提供する。
【発明の効果】
【０００８】
請求項１の手段によると、籾コンベア保持筒（以下、略して籾コン保持筒）は、籾ホッパーの下端に水平に取り付けられるものであるから、籾ホッパーの取出筒を低い位置（具体的には地面すれすれ）に設定でき、その結果、籾ホッパーをその嵩に比べて容量の大きなものにできる。また、籾ホッパーの下部は錐形になっているので、中の籾はここに取り付けられた取出筒に自然に集まる。さらに、籾コンは、籾コン保持筒に挿入して固定されるものであるから、籾コンの種類を問わず取り付けられるし、また、取り付けるか、取り付けないかは任意的であるから、必要な籾ホッパーにのみ取り付ければよい。
【０００９】
請求項２の手段によると、籾コンは、これに嵌着された取付けリングをフランジに縫い付けて固定するものであるから、籾コンの径が籾コン保持筒の径より小さいものであっても取り付けることができるし（汎用性が高い）、構造及び操作とも簡単である。さらに、請求項３の手段によると、籾コンは、フランジと駒とで挟圧されて固定されるから、かなりの径違いの籾コンであっても強固に固定できる。
【発明を実施するための最良の形態】
【００１０】
以下、本発明の実施の形態を図面を参照して説明する。図１は籾ホッパーと籾コンとの関係を示す側面図、図２は籾コンの要部の縦断面図、図３は横断面図であるが、籾ホッパー１は、ホッパー本体２を枠３で補強したもので、１間四方の拡がりに１．５間程度の高さを有する簡略なものである。なお、図示は省略するが、枠３の底には脚の他にキャスターが取り付けられており、自由に移動できるようになっている。
【００１１】
ホッパー本体２の底部は、下絞りの錐形をした錐体部４となっており、その下端に取出筒５が下向きに形成されている。なお、本例の取出筒５の下端は、枠３の下端から２０〜３０ｃｍ程度上方に設定されており、これによってホッパー本体２を下げており、しかも、その嵩に比べて容量の大きなものにできている。取出筒５の途中には、スライド式のシャッター６が設けられており、これを開閉することで、ホッパー本体２の内部と連通又は遮断されるようになっている。本発明では、この取出筒５の下端に籾コン保持筒７を水平に取り付けている。
【００１２】
本例の籾コン保持筒７は、その前端が塞がれており、後端は開口していてフランジ８が設けられている。以上の籾コン保持筒７の後端からは、籾コン９が挿入される。この籾コン９は、要するに、可撓性を有する筒体１０に同じく可撓性を有する軸体１１と螺旋体１２とが回転可能に挿設されたものであり、軸体１１の前端又は後端（本例では後端）にはモータ（又はエンジン）１３が連結されているものである。これにより、モータ１３を駆動すれば、軸体１１及び螺旋体１２は回転し、筒体１０内の被移送物を移送できる仕組みのものである。
【００１３】
籾コン９の前端と後端とは、被移送物を取り込む導入部１４と排出する導出部１５とになっており、このうち、導入部１４は、円錐形をしたキャップ１６ａを有する前方部材１６と、途中に前拡がりのテーパ部１７ａを有する後方部材１７とを周方向に間隔をあけた何本かの渡材１８で連結したものであり、後方部材１７のテーパ部１７ａに取付けリング１９を嵌着しているものである。なお、取付けリング１９とテーパ部１７ａとは溶接で固定している場合が通常であるが、非固定式のものであってもよい。一方、導出部１５も同様な構成をしており、籾を移送する場合は、そのシュート１５ａを籾摺機（図示省略）の籾受入口に差し込んでいる。
【００１４】
この場合の籾コン９は、種々のサイズのものが適用できるようになっているが、大小の形式によって渡材１８の巻回径が違ってくる。そこで、籾コン保持筒７の内径は、籾コン９の一番大きなサイズのものでも挿入できるようにしておく（具体的には直径が１２０ｍｍ程度）。そして、渡材１８の巻回径が籾コン保持筒７の内径とあまり違わないときには、導入部１４を籾コン保持筒７に挿入した後、取付けリング１９をフランジ８に縫い付けるだけでもよい（ただし、この場合は、取付けリング１９をテーパ部１７ａに固定しておく必要がある）。
【００１５】
これに対して、かなり径違いの場合には、籾コン保持筒７の前方部位に、後面に前方部材１６のキャップ１６ａを調芯的に受け入れるテーパ穴が形成されたポケット２０ａが設けられた駒２０を挿入しておく。そして、籾コン保持筒７の前方からねじ棒２１を螺入し、その先端を駒２０に連係しておく。これにより、籾コン保持筒７に籾コン９の導入部１４を差し込んで、その取付けリング１９をフランジ８に縫い付けた後、ねじ棒２１を操作して駒２０をキャップ１６ａに押し当てると、導入部１４は、前後から取付けリング１９と駒２０とで挟圧され、強固に固定できる。この場合は、取付けリング１９とテーパ部１７ａとの固定は必要ないから、構造がシンプルになる。
【００１６】
以上説明したように、本発明は、籾ホッパー１の底部の低い位置に設けた取出筒５の下端に籾コン保持筒７を水平に設けることで、取出筒５の位置を下げ得て籾ホッパー１の容量をその形状に比して大きくできるようにすること、籾コン保持筒７と籾コン９との結合にフレキシビリティーをもたせることで、市販のあらゆる籾コン９を使用できるようにすることに特徴があるのである。
【図面の簡単な説明】
【００１７】
【図１】籾貯蔵ホッパーと籾コンベアの側面図である。
【図２】籾貯蔵ホッパーの取出口の部分の縦断面図である。
【図３】籾貯蔵ホッパーの取出口の部分の横断面図である。
【符号の説明】
【００１８】
１      籾貯蔵ホッパー
２      ホッパー本体
３      枠
４      錐体部
５      取出筒
６      シャッター
７      籾コンベア保持筒
８      フランジ
９      籾コンベア
１０    筒体
１１    軸体
１２    螺旋体
１３    モータ
１４    導入部
１５    導出部
１５ａ  シュート
１６    前方部材
１６ａ  キャップ
１７    後方部材
１７ａ  テーパ部
１８    渡材
１９    取付けリング
２０    駒
２０ａ  ポケット
２１    ねじ棒
【図１】
2006192367.tif 000003
【図２】
2006192367.tif 000004
【図３】
2006192367.tif 000005